Podtech/llm-jp-corpus-v4-ja_patent huggingface dataset:
(57)【要約】      （修正有）【課題】病院や施設などに入っている高齢者などが、指が自由な状態であると、無意識に、点滴中に、点滴をはずすなどにより、危険な状態を防ぎ、手指が手袋から安易に抜けないで、外側が各指に分かれていないミトン型手袋を提供する。また、点滴中のように、長時間、手袋をはずさなくても、手袋の中が蒸れない構造にする。【解決手段】吸水性のある布地で、５本のクッション円筒生地を用いて、並行溝構造を構成し、肌側指先部には、親指と人差し指を挿嵌する指分割部が設置され、背面手首部に布ひもが付設されている手のひら部と、指先部に、吸水性のある布地で、５本のクッション円筒生地を用いて、並行溝構造を構成し、甲部を粗いネット構造にしている手の甲部とを、手挿入部を除き、周囲を縫い合わせているミトン型手袋である。【選択図】図３
0003110374.tif 000002
【実用新案登録請求の範囲】
【請求項１】
吸水性のある布地で、５本のクッション円筒生地を用いて、並行溝構造を構成し、肌側指先部には、親指と人差し指を挿嵌する指分割部が設置され、背面手首部に布ひもが付設されている手のひら部と、指先部に、吸水性のある布地で、５本のクッション円筒生地を用いて、並行溝構造を構成し、甲部を粗いネット構造にしている手の甲部とを、手挿入部を除き、周囲を縫い合わせているミトン型手袋である。
【考案の詳細な説明】
【技術分野】
【０００１】  介護用ミトン型手袋
【背景技術】
【０００２】  病院や施設などに入っている高齢者などが、指が自由な状態であると、無意識に、点滴中に、点滴をはずすなどにより、危険な状態になる。この状態を防ぐには、手指が手袋から安易に抜けないで、外側が各指に分かれていないミトン型手袋が必要である。また、点滴中のように、長時間、手袋をはずさなくても、手袋の中が蒸れない構造にし、快適な手袋にすることも必要である。【０００３】  従来からミトン型手袋は考案されているが、一部の指が自由になるものであったり、安易にはずれたり、長時間、手袋をはずさないと、手袋の中が蒸れる可能性があるものである。
【特許文献１】特開２００３−３４２８１５
【特許文献２】特開２００３−２８４６５３
【特許文献３】特開２００１−２９２９４３
【特許文献４】特開２００４−５２１６５
【特許文献５】特開２００４−２３８７９２
【特許文献６】特開平９−１５７９１８
【特許文献７】特表２００３−５３２８０２
【非特許文献１】ミトンカタログ
【考案の開示】
【考案が解決しようとする課題】
【０００４】  病院や施設などに入っている高齢者などが、指が自由な状態であると、無意識に、点滴中に、点滴をはずすなどにより、危険な状態になる。この状態を防ぐには、手指が手袋から安易に抜けないで、外側が各指に分かれていないミトン型手袋が必要である。
また、点滴中のように、長時間、手袋をはずさなくても、手袋の中が蒸れない構造にし、快適な手袋にすることも必要である。
【課題を解決するための手段】
【０００５】  吸水性のある布地で、５本のクッション円筒生地を用いて、並行溝構造を構成し、肌側指先部には、親指と人差し指を挿嵌する指分割部が設置され、背面手首部に布ひもが付設されている手のひら部と、指先部に、吸水性のある布地で、５本のクッション円筒生地を用いて、並行溝構造を構成し、甲部を粗いネット構造にしている手の甲部とを、手挿入部を除き、周囲を縫い合わせているミトン型手袋である。
【考案の効果】
【０００６】  手の甲先端部および手のひら側内外面は、吸水性のある布地なので、汗を取っており、手の甲部分は、粗いメッシュ構造にしているので、手袋の中が蒸れない。【０００７】  先端部肌面手のひら側には、親指と人差し指を挿嵌する指分割部があり、手袋に入れた手指をこの指分割部へ挿嵌して使用することにより、手袋と手指が一体となり、手袋が回転することがないので、指が、手の甲の粗いネット構造の孔から飛び出し、自由な状態になることはない。【０００８】  手首部を布ひもで結ぶので、手袋は、安易に、外れない。【０００９】  手のひら側と手の甲側の先端部の手袋の肌面側に、５本のエステル綿やスポンジなどのクッション生地の円筒を挿入した布袋を、各円筒の接触面で縫い付け、並行溝構造が構成されているので、５指を別々に、指分割部の先端部まで挿入しやすくなっている。
【考案を実施するための最良の形態】
【００１０】    手袋の中が蒸れないように、手の甲先端部および手のひら側内外面は、吸水性のある布で覆われており、手の甲は、粗いメッシュ構造にし、手袋が回転して、指が、手の甲の粗いネット構造の孔から飛び出し、自由な状態になることがないように、手のひら側先端部には、親指と人差し指を挿嵌する指分割部が設置されている。また、５指を別々に先端部まで挿入しやすいように、手袋内側の手のひら側および手の甲側の先端部は、５本のエステル綿やスポンジなどのクッション生地の円筒で、並行溝構造が構成されている。さらに、手袋は、安易に、外れないように、手首には、布ひもが付設されており、手指を手袋に挿入後、結ぶようになっている。
【実施例】
【００１１】
【産業上の利用可能性】
【００１２】  病院や施設などに入っている高齢者などが、無意識に、点滴中に、点滴をはずすなどにより、危険な状態になるのを防ぐミトン型手袋。
【図面の簡単な説明】
【０００８】
【図１】  ミトン型手袋平面図
【図２】  ミトン型手袋底面図
【図３】  ミトン型手袋の手のひら部と手の甲部の縫い合わせで切断し展開した図
【図４】  図３のミトン型手袋の手のひら部の指分割部に親指と人差し指を挿嵌した図
【図５】  ミトン型手袋に手を装着した平面図
【符号の説明】
【０００９】１    ネット構造部
２    並行溝構造部
３    親指と人差し指を挿嵌する指分割部
４    親指
５    人差し指
６    親指挿入方向
７    人差し指挿入方向
８    中指挿入方向
９    薬指挿入方向
１０  手
１１  布ひも
【図１】
0003110374.tif 000003
【図２】
0003110374.tif 000004
【図３】
0003110374.tif 000005
【図４】
0003110374.tif 000006
【図５】
0003110374.tif 000007
(57)【要約】      （修正有）【課題】乾燥花を収納する乾燥花入装飾箱の商品価値を上げる。【解決手段】乾燥花入装飾箱２の透明な表面板３に絵や文字を彫刻して他と差別化を計る。【選択図】図１
0003110375.tif 000002
【実用新案登録請求の範囲】
【請求項１】
乾燥花束を収納する装飾箱の表面板である透明板に、会社名や建物の絵を彫り込んで構成される乾燥花入装飾箱。
【考案の詳細な説明】
【考案の詳細な説明】
【考案が解決しようとする課題】
【０００１】  結婚式において花嫁に送られる花束（フランス語でブーケ）は、通常過去においては時間が経つと萎れてしまい廃棄していた。しかし近年生花の乾燥技術が向上し、生花に近い色や感触のままで乾燥し保存出来るようになった。そこで結婚当日の花を乾燥花束にして記念品として長期間保存することになった。そこで単なる乾燥花を乾燥花束として保存用として販売するには、商品に付加価値を持たせて、商品価値を上げる必要があった。
【課題を解決するための手段】
【０００２】  乾燥した花束を記念品として販売するために、乾燥した花束を収納して販売する乾燥花束収納箱の表面板に透明のガラス板又はアクリル板等を用いて収納する場合、この表面板に例えば結婚式場となるホテルや教会又はその結婚式を企画する会社等が宣伝用として花嫁に乾燥花束をプレゼントする場合、式場となるホテルや教会の絵や会社名等を彫り込むことによって、宣伝用の商品として価値が上る。又、花嫁が別途に花束を長期に記念品として保存するため乾燥花にして購入を希望する場合も、透明な表面板に自分達の結婚した式場の絵が彫刻されていると識別されて商品価値が向上する。
【考案の実施形態】
【０００３】  以下本考案の実施形態について説明する。図１は本考案の乾燥花束を収納した乾燥花入装飾箱の説明図であり、乾燥花束１を収納箱２に納めホテルや協会等の結婚式場の絵４や、会社名やロゴマーク等５を彫刻した透明な表面板３を設けて構成した乾燥花入装飾箱である。絵４や会社名やロゴマーク等５は、表面板の下部の隅や上部の隅又は１つは右上隅１つは左下隅等、彫刻する場所は特別定めるものではない。又絵や文字の大きさ等もデザインに従い形よく配置する。
【考案の効果】
【０００４】  乾燥花束の収納された乾燥花入装飾箱に、前記した絵や企画会社の名やロゴマークを彫刻することによって、商品の宣伝効果が期待出来、且他の商品と差別化が計れて商品価値が上り販売促進に役立つ。
【図面の簡単な説明】
【図１】  本考案の説明図である。
【符号の説明】
１………乾燥花束
２………収納箱
３………表面板
４………絵
５………文字
【図１】
0003110375.tif 000003
(57)【要約】      （修正有）【課題】従来の家庭で使用する合成樹脂製袋は内部の空気を十分に抜き逆流防止することはむずかしかった。このため、かさばる・入れた物が冷えにくい・腐りやすい等の問題を解決する合成樹脂袋を提供する。【解決手段】合成樹脂袋の出し入れ口部以外に空気抜きの突起形状を設けることにより空気を抜きやすくし且つ空気の逆流を阻止できるようにし課題を解決した。【選択図】図−１
0003110316.tif 000002
【実用新案登録請求の範囲】
【請求項１】
家庭で使用するゴミ袋あるいは食品保存・保管用等合成樹脂製の袋に物を入れ  もの出し入れ口閉後、袋内減圧を目的とする空気抜きできる突起状部をもの出し入れ口部以外に設ける
且つ空気抜きできる突起状部は空気の逆流をクリップ止め・結び止め・栓などで容易に止めことができ袋内減圧状態を保つことができる合成樹脂製の袋
図−１は代表例としてジッパー付食品等保存袋の例を示す。
【請求項２】
図−２に図−１以外の空気抜き突起部の形状例を示す。
【考案の詳細な説明】
【技術分野】
【０００１】本発明は家庭で使用するゴミ袋あるいは食品保存・保管用合成樹脂製袋内の空気抜き（減圧）を容易にし袋内の減圧状態を保つことができる合成樹脂製袋の構造・形状に関する。
［技術背景］
従来  家庭で使用する合成樹脂製袋で物を入れた後  容易に袋内の空気を抜く（袋内減圧）ことの出来る袋は見あたらなかった
［考案の開示］
［考案が解決しようとする課題］【０００２】家庭で使用するゴミ袋あるいは食品保存・保管用合成樹脂製袋に物を入れた後袋内の空気を抜く（減圧）場合、袋全体を手で押すなどし  空気を押し出し（減圧）あわてて物出し入れ口部を塞でいたが十分に空気抜く（減圧）ことができないケース多かった。
このため袋全体がかさばる・入れた物がよく冷えない・腐りやすいなどの不便があった。
［課題を解決するための手段］【０００３】家庭で使用する合成樹脂製袋に図−１に示すような空気抜き突起状部をもの出し入れ口部以外に設けることにより物出し入れ口部を塞いだあと袋内の空気を容易に抜くことができようした。
袋内に空気が逆流にないよう指で挟む・押さえるなどした後クリップ止め・結び止め・栓することにより減圧状態を保てるようにした。
【図面の簡単な説明】
【０００４】      図−１は本案を採用したジッパー付食品保存・保管用袋の例を示す
図−２空気抜き突起状部の形状例を示す。
【図−１】
0003110316.tif 000003
【図−２】
0003110316.tif 000004
【手続補正書】
【提出日】平成16年3月4日(2004.3.4)
【手続補正１】
【補正対象書類名】実用新案登録請求の範囲
【補正対象項目名】請求項１
【補正方法】変更
【補正の内容】
【請求項１】
ジッパー付食品等保存・保管用樹脂製袋に空気抜きできる管（くだ）を設けたことを特徴とする。
その管は袋と一体構造で、ジッパー部近く７センチメートル以内に設けることを特徴とする。
【手続補正２】
【補正対象書類名】実用新案登録請求の範囲
【補正対象項目名】請求項２
【補正方法】変更
【補正の内容】
【請求項２】
空気抜き管は袋側面から蛇口形状・水平形状・角度ある形状を含むものとする
【手続補正３】
【補正対象書類名】明細書
【補正対象項目名】全文
【補正方法】変更
【補正の内容】
【考案の詳細な説明】
【技術分野】
【０００１】本発明は家庭で使用するジッパー付き食品等保存・保管用樹脂製袋において袋内の空気を抜き、袋内の減圧状態を容易に保つことがでる袋の構造・形状に関する。
［技術背景］【０００２】従来  家庭で使用するジッパー付食品等保存・保管用樹脂製袋は物を入れた後、袋内の空気を容易に抜き減圧状態を保つことのできる袋は見あたらなかった。
［考案の開示］
［考案が解決しようとする課題］【０００３】家庭で使用するジッパー付食品等保存・保管用樹脂製袋に物を入れたあと袋内の空気を抜く場合、袋全体を手で押すなどして空気を押し出し  あわててジッパーを閉めていた。しかし空気を十分に抜くことができず袋全体がかさばる・入れた物が良く冷えない・湿気を呼ぶなどの不便があった。
［問題を解決するための手段］【０００４】家庭で使用するジッパー付食品等保存・保管用樹脂製袋に図−１に一例を示すような空気抜き管を設け、ジッパーを閉めた後この管で袋内の空気を吸出し袋内の減圧状態を保てるようにした。
この管は吸出し易い径・幅をもたせ、汁物を入れた場合を考慮しジッパー部から７センチメートル以内に設け、管の長さはクリップ止め・結び止め・栓で止めることができる長さとする。
【図面の簡単な説明】
【０００５】図−１は本案の蛇口形状を採用したジッパー付食品等保存・保管用袋の例を示す。
図−２は水平形状・角度ある形状例を示す。
【手続補正４】
【補正対象書類名】図面
【補正対象項目名】全図
【補正方法】変更
【補正の内容】
【図−１】
0003110316.tif 000005
【図−２】
0003110316.tif 000006
【手続補正書】
【提出日】平成16年8月5日(2004.8.5)
【手続補正１】
【補正対象書類名】実用新案登録請求の範囲
【補正対象項目名】請求項１
【補正方法】変更
【補正の内容】
【請求項１】
もの出し入れ口部以外の近くに突起状部を設けた食品等保存用合成樹脂製の袋であって、  前記突起状部はもの出し入れ口閉後に空気抜きでき、且つ、空気の逆流をクリップ止め、結び止め，栓で止めることができ袋内減圧状態を保つことができるものである。ことを特徴とする食品等保存用合成樹脂製の袋。
【手続補正２】
【補正対象書類名】実用新案登録請求の範囲
【補正対象項目名】請求項２
【補正方法】変更
【補正の内容】
【請求項２】
突起状部の出方は袋横面から９０度、ある角度を持ったもの，弧を描いて出るものとする。
【手続補正書】
【提出日】平成17年2月7日(2005.2.7)
【手続補正１】
【補正対象書類名】実用新案登録請求の範囲
【補正対象項目名】全文
【補正方法】変更
【補正の内容】
「書類名」    実用新案登録請求の範囲
「請求項１」
ジッパ−付食品等保存用合成樹脂袋にあってジッパ−部近くに袋内の空気を吸い出すことが出来る突起状の管を設けることにより袋内の減圧状態を保つことが出来るものであることを特徴とするジッパー付食品等保存用合成樹脂製の袋。
(57)【要約】      （修正有）【課題】磁気記録したキャッシュカード，クレジットカードの情報をスキミングにより外部から盗み出されないようにして、この種のカードを安心して携帯することができるようにするスキミング防止の携帯用物入れを提供する。【解決手段】財布１，カード入れ，鞄，ハンドバッグ等の四周の全面または一部の部面にクレジットカード，キャッシュカードの磁気記録情報を外部から不正に読みとることを防止する磁気遮断シート３を内包張設したことを特徴とするスキミング防止の携帯用物入れ。【選択図】図１
0003110312.tif 000002
【実用新案登録請求の範囲】
【請求項１】
財布，カード入れ，鞄，ハンドバッグ等の四周の全面または一部の部面にクレジットカード，キャッシュカードの磁気記録情報を外部から不正に読みとることを防止する磁気遮断シートを内包張設したことを特徴とするスキミング防止の携帯用物入れ。
【請求項２】
携帯用物入れの内壁に沿って磁気遮断シートを当て入れする請求項１記載のスキミング防止の携帯用物入れ。
【請求項３】
財布，カード入れ，鞄，ハンドバッグ等の携帯用物入れの内部に収容したクレジットカード，キャッシュカードの磁気記録情報を外部から不正に読み取ることを防止するための磁気遮断シートであって、該磁気遮断シートは定形または前記携帯用物入れの四周の全面または一部の部面の当て入れ個所の形状・大きさに合わせて裁断可能に形成したことを特徴とする携帯用物入れのためのスキミング防止用の磁気遮断シート。
【考案の詳細な説明】
【技術分野】
【０００１】
この考案は、スキマーと呼ばれるカード情報の読み取り器などにより外部からクレジットカード，キャッシュカードの記録情報を不正に読み取ることを防止するスキミング防止用の携帯用物入れに関するものである。
【背景技術】
【０００２】
革，布などの材質にてなる財布１などは図８に示すように、あるいはカード収容部を内部に設けて作られている。
【特許文献１】なし
【考案の開示】
【考案が解決しようとする課題】
【０００３】
しかしながら、革，布などの材質は磁気を通すので、例えば財布内にキャッシュカードを入れて携帯すると、該カードの磁気記録情報はスキマーなどの磁気情報読み取り器によって外部から不正に読み取り盗み出されて被害を受けるという課題がある。
【課題を解決するための手段】
【０００４】
本考案は財布などの携帯用物入れの全面またはカード収容部分の表裏に磁気遮断シートを内包して、かかる課題を解決するようにしたのである。
【考案の効果】
【０００５】
本考案は以上のようにして、財布，カード入れ，鞄，ハンドバッグ等すべての携帯用物入れは四周または必要とする一部の部面に磁気遮断シートを内包しているので、物入れに入れて携帯するクレジットカード，キャッシュカードの磁気記録情報が外部からスキマーによって盗み出されることが確実に防止されるという効果を生ずる。裁断可能に形成した磁気遮断シートを裁断して当て入れすることにより通常の携帯用物入れを簡単にスキミング防止の携帯用物入れにすることができるという効果を生ずる。
【考案を実施するための最良の形態】
【０００６】
本考案は、財布，カード入れ，鞄，ハンドバッグ等の携帯用物入れの四周の全面または一部の部面にキャッシュカード，クレジットカードの磁気記録情報を外部から不正に読み取ることを防止する磁気遮断シートを内包したことにある。
【実施例１】
【０００７】
図１に示すように、二つ折りの財布１は外側内部の全面に銅や亜鉛などの金属シート，細銅線などにて編成した平網シート，銅などの金属粉を混練した合成樹脂シートなどにてなる磁気遮断シート３を内包張設して作成する。図２に示すように財布１の中を区分してカード収容部２を設けるときは、このカード収容部２部分の表，裏のみを挟むように磁気遮断シート３を内包張設するようにしてもよい。
【０００８】
従って、携帯用物入れとして例えば財布１の中にクレジットカード，キャッシュカード４を入れて携帯しても、該カード４の両面側は磁気遮断シート３にて覆われるためにスキマーなどによってカード４の磁気記録情報が外部から盗み出されることは確実に防止されることとなる。
【０００９】
本考案は、財布１のほか、図３乃至図５に示すようにカード入れ１ａ，鞄１ｂ，ハンドバッグ１ｃなどの携帯用物入れの四周または必要とする一部に磁気遮断シート３を芯材として内包張設したので、磁気の到達によって生じていたカードの磁気記録情報の盗難はすべて解消されることとなる。磁気遮断シート３は張設する個所や性状に応じて硬いもの，柔軟なものから選択して使用するのである。
【実施例２】
【００１０】
図６は財布１の両側の内壁に沿って磁気遮断シート３ａを抜き外し自在において当て入れした例を示している。カード４を入れないときはシート３ａを抜き外して財布１を軽く薄くすることができる。
【実施例３】
【００１１】
図７は縦横長２０乃至５０ｃｍ程の矩形，帯形等一定の大きさに形成し、自由に裁断して使用することのできる磁気遮断シート３ｂの例を示すものである。この磁気遮断シート３ｂを従来から使用している通常の財布や鞄などの携帯用物入れの大きさに合わせて裁断して、クレジットカード４等を収容する個所の両面側の内壁に沿って当て入れして設けることで、容易にスキミング防止の携帯用物入れとすることができることとなる。なお、札入れ財布のようにある程度大きさの一定しているものについては、裁断しないでもそのまま当て入れすることのできる大きさのものを用意することもある。
【産業上の利用可能性】
【００１２】
本考案は以上のようにして、磁気記録情報をスキミングによって外部から読み取り盗み出されないようしたので、安心してクレジットカード，キャッシュカードを携帯することができることとなる。
【図面の簡単な説明】
【００１３】
【図１】本考案の磁気遮断シートを内包張設した財布を示す内面，外面からの斜視図
【図２】同、カード収容部を設けた財布の例を示す斜視図
【図３】同、カード入れの例を示す内外面の斜視図
【図４】同、鞄の斜視図
【図５】同、ハンドバッグの斜視図
【図６】磁気遮断シートを抜き外し自在において当て入れする例を示す財布の斜視図
【図７】裁断自由な磁気遮断シートの一部を裁断した状態にて示す正面図
【図８】財布の従来例を示す斜視図
【符号の説明】
【００１４】
１は財布
１ａはカード入れ
１ｂは鞄
１ｃはハンドバッグ
２はカード収容部
３は磁気遮断シート
３ａは抜き外し自在の磁気遮断シート
３ｂは裁断の自由な磁気遮断シート
４は情報を磁気記録したクレジットカード，キャッシュカード
【図１】
0003110312.tif 000003
【図２】
0003110312.tif 000004
【図３】
0003110312.tif 000005
【図４】
0003110312.tif 000006
【図５】
0003110312.tif 000007
【図６】
0003110312.tif 000008
【図７】
0003110312.tif 000009
【図８】
0003110312.tif 000010
(57)【要約】      （修正有）【課題】透明であるため、取り外したとき見つけにくく、化粧品の粒子が付着した指紋の痕が目立ち、不潔な印象を与えがちであった化粧品粒子飛散防止セロファン（通称  ナカセロ・テンセロ・保護シート等）を、取り外したとき見つけやすく、指紋等の汚れが目立たないようにする。【解決手段】化粧品粒子飛散防止セロファン（通称  ナカセロ・テンセロ・保護シート等）に、取り外したとき見つけやすく、化粧品の粒子が付着した指紋の汚れが目立たないような色図柄を付ける。【選択図】図２
0003110318.tif 000002
【実用新案登録請求の範囲】
【請求項１】
取り外したとき、置いた場所が見つけやすいような色図柄をつけた、化粧品粒子飛散防止セロファン（通称  ナカセロ・テンセロ・保護シート等）。
【請求項２】
指紋の痕が目立たないような色図柄をつけた、化粧品粒子飛散防止セロファン（通称  ナカセロ・テンセロ・保護シート等）。
【考案の詳細な説明】
【考案の開示】
［考案が解決しようとする課題］
【０００１】ミラー付のコンパクトケースに収納されているパウダー化粧品には、ミラーへのパウダーの付着を防止するため、化粧品粒子飛散防止セロファン（通称  ナカセロ・テンセロ・保護シート等）が、付けられている。このセロファンは、透明に作られているため、使用時に取り外すと見つけにくく、また、化粧品の粒子が付着した指紋の痕が目立つことで、不潔な印象を与えやすいという難点を有している。
［課題を解決するための手段］
【０００３】上記の難点を解決するために、化粧品粒子飛散防止セロファン（通称  ナカセロ・テンセロ・保護シート等）に、取り外したとき目立ち、化粧品の粒子付着による指紋の痕が目立たないような色図柄を付ける。
［考案の効果］
【０００４】化粧品粒子飛散防止セロファン（通称  ナカセロ・テンセロ・保護シート等）に色図柄を付けることで、取り外したとき見つけやすく、指紋等による汚れを目立ちにくくする。
【図面の簡単な説明】
【０００５】［図１］  化粧品粒子飛散防止セロファン（通称  ナカセロ・テンセロ・保護シート等）に、取り外したとき目立つような色図柄を付けた平面図である。
［図２］  化粧品粒子飛散防止セロファン（通称  ナカセロ・テンセロ・保護シート等）に、化粧品の粒子が付着した指紋の痕が目立ちにくいような色図柄を付けた平面図である。
【符号の説明】
【０００６】    １  化粧品粒子飛散防止セロファン（通称  ナカセロ・テンセロ・保護シート等）
２  どこにおいても目立つ色図柄
３  粒子の付着した指紋の痕が目立たない色図柄
【図１】
0003110318.tif 000003
【手続補正書】
【提出日】平成16年9月22日(2004.9.22)
【手続補正１】
【補正対象書類名】実用新案登録請求の範囲
【補正対象項目名】全文
【補正方法】変更
【補正の内容】
【実用新案登録請求の範囲】
【請求項１】
化粧品粒子飛散防止セロファン１に、視覚可能な顔料色素を固着させ２、取り外して置いた時見つけやすいようにする。
【請求項２】
化粧品粒子飛散防止セロファンに１、適度な明度の顔料色素を固着させ３、指紋の痕が目立たないようにする。
【手続補正２】
【補正対象書類名】図面
【補正対象項目名】全図
【補正方法】変更
【補正の内容】
【図１】
0003110318.tif 000004
【図２】
0003110318.tif 000005
【手続補正書】
【提出日】平成17年2月4日(2005.2.4)
【手続補正１】
【補正対象書類名】実用新案登録請求の範囲
【補正対象項目名】全文
【補正方法】変更
【補正の内容】
［書類名］      実用新案登録請求の範囲
［請求項１］
化粧品粒子飛散防止セロファン１に、印刷を施し２、取り外したとき目に付く化粧品粒子飛散防止セロファンとする。
［請求項２］
化粧品粒子飛散防止セロファン１に、印刷を施し３、指紋の跡が目立たない化粧品粒子飛散防止セロファンとする。
(57)【要約】【課題】  本考案はギターヘッドのそり、ゆがみを無くし、弦のたわみを無くし音響を改良する。【解決手段】  本考案はガットギターのヘッド１の上端と，上部糸巻４と中間糸巻５との間と、中間糸巻５と下部糸巻６との間と、ヘッド１の下端部の、表面と裏面の両外側へ、外部位置決め穴を付加した糸巻ベースプレート１９と、２穴圧迫プレート１５を弁して、寸切ボルト７、８、９、１０、１１、１２、１３、１４を設け、各寸切ボルトの両端部にナット１８を平ワッシャー１６及びスプリングワッシャー１７を介して設け、締め付けることにより音響を改良する。【選択図】  図１
0003110368.tif 000002
【実用新案登録請求の範囲】
【請求項１】
ガットギターのヘッド（弦蔵）部上端と各糸巻中間部及びヘッド下端部の表面と裏面の両外側に、位置決め穴を設けた糸巻ベースプレートと、２穴の圧迫プレートを介して、寸切ボルトを設置し、ボルト両端部にワッシャー、スプリングワッシャーを介して、ナットを締め付けることにより音響を改良するを特徴とする外付けギター音響改良調整装置
【考案の詳細な説明】
【技術分野】
【０００１】  本考案はヘッド（弦蔵）部の表面と裏面の両外側に圧迫用のプレートを介し、寸切ボルトを設置して、ナットにて調整するギターに関するものである。
【背景技術】
【０００２】  ギターヘッドは弦の張力により変形し、そり、ゆがみ、ねじれの為に弦がたわむため材質を高価な、硬質の比較的変形の少ない木材にて成形している。
【考案の開示】
【考案が解決しようとす課題】
【０００３】  ギターヘッドの変形の少ない木材での成形は経済的負担も大きく、そり、ゆがみを除く為にも長時間の手間を要している。従って、寸切ボルトを外部に設置して圧迫することによりヘッドのそり、ゆがみを無くし、安価な軟材の合板の組み合わせ材等でも弦のたわみを解決し、良質の音響を得ようとするものである。
【課題を解決する為の手段】
【０００４】  本考案は、ギターヘッド（弦蔵）部上端部、上部糸巻と中間糸巻との間、中間糸巻と下部糸巻との間、ヘッド下端部の、表面と裏面の両外側へ、寸切ボルトを２穴圧迫プレート、平ワッシャー及びスプリングワッシャーを介して、ナットにて締め付け調整することによりへッドの問題点を解決している。
【考案の効果】
【０００５】  上述のように、本考案のギター音響改良調整装置はギターヘッドのそり、ゆがみを除去し、弦のたわみを無くし、良質の音響を得られるので安価な工場大量生産品のギターが手作りギター工芸品の調整品に劣らないぐらいの音響に改良される。
【考案の実施するための最良の形態】
【０００６】  ヘッド（弦蔵）上端部と、各糸巻き中間部及びヘッド下端部は、表面と裏面の両外側の寸切ボルトのボルト両端のナットにより、圧迫され、ギターヘッドは外側からの圧縮力により、そり、ゆがみを矯正され、もって弦のたわみを無くし、良質な音響を得られる。
【実施例１】
【０００７】  以下、添付図面に従って一実施例を説明する。１はガットギターのヘッド（弦蔵）、２は糸巻（弦巻機）、３はペッグで、４は上部糸巻、５は中間糸巻、６は下部糸巻である。７はヘッド１の上端表面外部へ設置した上端表面寸切ボルトであり、８は上部糸巻４と中間糸巻６との間の第一中間表面寸切ボルトで、９は中間糸巻５と下部糸巻６との間の第二中間表面寸切ボルトであり、１０はヘッド１の下端表面寸切ボルトである。同様に、裏面へも、上端裏面寸切ボルト１１、第一中間裏面寸切ボルト１２、第二中間裏面寸切ボルト１３、下端裏面寸切ボルト１４を設ける。各寸切ボルト７、８、９、１０、１１、１２、１３、１４の両端部に２穴圧迫プレート１５、平ワッシャー１６、スプリングワッシャー１７を介して、ナット１８を締め付けることによりヘッド１は外側より圧縮され、そり、ゆがみが減少する。
【図面の簡単な説明】
【０００８】
【図１】本考案の音響改良調整装置のガットギターへの実施例を示す正面図である。
【図２】ヘッド右側面図である。
【図３】図１の第一中間表面と裏面寸切ボルト取付部ヘッド横断面図である。
【図４】ボルト穴を付加した右側糸巻ベースプレート正面図である。
【符号の説明】
【０００９】  １    ガットギターのヘッド（弦蔵）
２    糸巻（弦巻機）
３    ペッグ
４    上部糸巻
５    中間糸巻
６    下部糸巻
７    上端表面寸切ボルト
８    第一中間表面寸切ボルト
９    第二中間表面寸切ボルト
１０  下端表面寸切ボルト
１１  上端裏面寸切ボルト
１２  第一中間裏面寸切ボルト
１３  第二中間裏面寸切ボルト
１４  下端裏面寸切ボルト
１５  ２穴圧迫プレート
１６  平ワッシヤー
１７  スプリングワッシャー
１８  ナット
１９  ボルト穴付加糸巻ベースプレート
【図１】
0003110368.tif 000003
【図２】
0003110368.tif 000004
【図３】
0003110368.tif 000005
【図４】
0003110368.tif 000006
(57)【要約】【課題】  炎を発しない安全で省エネタイプの経済的な利便性に富む照明器具を開発する。【解決手段】  ＥＬ（エレクトロルミネセンス）発光基盤２を台座８と一体化したＬ字型の透明プラスチック製セル１の中に封印して、乾電池の直流低圧電源をインバーターにより高電圧、高周波数の交流電流に変換してＥＬ（エレクトロルミネセンス）発光基盤２に通電印加して平面発光体となるように構成する。【選択図】  図４
0003110362.tif 000002
【実用新案登録請求の範囲】
【請求項１】
台座８と一体化したＬ字型透明プラスチック製セル１にＥＬ（エレクトロルネセンス）発光基盤２を封印して、電源ボックスの電源ＯＮ・ＯＦＦスイッチ４の操作によって点滅発光又は連続発光を選択して、インバーター格納室６に収納されたインバータ−によって、乾電池の低電圧直流電源を高電圧、高周波数交流に変換された所定の電源を電源通電コード７によってＥＬ（エレクトロルミネセンス）発光基盤２に通電印加して発光させる構成からなる、ＥＬ（エレクトロルミネセンス）発光素子を用いた照明器具。
【考案の詳細な説明】
【技術分野】
【０００１】本考案は、台風や地震などの災害非常時における停電に備える安全な保安照明器具に関するものである。
【背景技術】
【０００２】従来は、災害等の停電時には、懐中電灯や石油ランプ、ローソクなどを用いているが、懐中電灯は乾電池の消耗が速く、石油ランプやローソクは余震や不注意による転倒で火災の危険性など不都合があった。
【考案の開示】
【考案が解決しょうとする課題】
【０００３】本考案は、余震や誤って転倒させても火災の心配がなく安全で且つ乾電池の消耗の少ない利便性に富んだ停電時の保安照明の提供を目的とするものである。
【課題を解決するための手段】
【０００４】本考案は、停電時の保安照明であって、上記問題を解決するために、電球ではなく、平面発光素子による広範囲を照射でき電力消耗が少なく炎を発しないＥＬ（エレクトロルミネセンス）発光基盤２を照明プレートに利用する、手段を講じたものである。
【考案の効果】
【０００５】炎がなく余震や不注意によって転倒しても火災の心配のないマイルドで目にやさしい平面発光照明は災害時の動揺した精神状態を癒すと共に乾電池の消耗の少ない保安照明として、他の照明器具に比べ利便性に優れるので使用者に安堵感を与える効果が得られる。
【実施例】
【０００６】本考案の実施にあたっては、台座８と一体化したＬ字型の透明プラスチック製セル１に、台紙に貼付したＥＬ（エレクトロルミネセンス）発光基盤２をＥＬ発光基盤固定台紙挿入スリット９から挿入封印し、乾電池収納ボックス３に収納した単３乾電池２本を直列に接続して発生する３．０Ｖ直流電流をインバーター格納室６のインバーターに通電して、約１２０Ｖ、１．５ＫＨＺの交流に変換して電源通電コード７を経由して透明プラスチック製セル１内に封印したＥＬ（エレクトロルミネセンス）発光基盤２に通電印加して発光させることができる。【０００７】本考案のＥＬ（エレクトロルミネセンス）発光基盤２の発光は電源ＯＮ・ＯＦＦスイッチ４の操作により、インバーターと併用したＩＣチップ回路によって、消灯の他に点滅発光、継続発光の二通りの点灯が選択できる構成が為されている。【０００８】本考案のＥＬ（エレクトロルミネセンス）発光基盤２の発光色は視認性に優れ人の目にやさしく輝度が得られやすい緑青色を採用して１平方メートル当たり７０ｃｄ〜８０ｃｄを設定する。【０００９】本考案のＥＬ（エレクトロルミネセンス）発光基盤２の発光波長は空気中の水分や湿度に影響されずに伝播されるため、雨天や霧の中においてもＬＥＤなどの発光体に比較してより遠くまで届き、且つ本考案の緑青色発光素子からの発光波長はきわめて視認性に優れるので点滅発光させることで災害時の救難信号としても有効に活用できる。
【図面の簡単な説明】
【００１０】
【図１】本考案の正面図である。
【図２】本考案の背面図である。
【図３】本考案の平面図である。
【図４】本考案の実施例斜視図である。
【符号の説明】
【００１１】１  透明プラスチック製セル
２  ＥＬ（エレクトロルミネセンス）発光基盤
３  乾電池収納ボックス
４  電源ＯＮ・ＯＦＦスイッチ
５  乾電池出入用開閉蓋
６  インバーター格納室
７  電源通電コード
８  台座
９  ＥＬ発光基盤固定台紙挿入スリット
【図１】
0003110362.tif 000003
【図２】
0003110362.tif 000004
【図３】
0003110362.tif 000005
【図４】
0003110362.tif 000006
(57)【要約】【課題】  本考案はフローリングを設置する作業においてフローリングとフローリングの隙間を本工具にて密着させ、釘での固定作業を早く容易にする。【解決手段】  本考案のフローリングの固定作業における隙間防止工具はタル木１０に支持部本体１を打ち込み部２を金槌で打ち込み固定し、押え部本体５に設けている殴打部６に金槌で横方面に衝撃を与え、アーム４の円弧を描く運動によって支持部本体１と押え部本体５の間隔を開き、突出部７により、新設フローリングと既設フローリングとを密着させる事により、釘での固定作業に役立つ。【選択図】  図１
0003110370.tif 000002
【実用新案登録請求の範囲】
【請求項１】
フローリングの基礎となるタル木に固定される支持部本体と、新設フローリングの側面を押す役目をする押え部本体との間隔が、金槌で殴打部に横運動の衝撃を与えると、アームの円弧を描く運動により開かれ、新設フローリングを既設フローリング側に押し付け密着させる事によって、フローリングの固定作業における隙間を防止するところを特徴とする工具。
【考案の詳細な説明】
【技術分野】
【０００１】  本考案は、フローリングを釘で固定する作業においてフローリングとフローリングとの隙間を防止し、密着させ、フローリングの固定作業を補助する工具に関するものである。
【背景技術】
【０００２】  フローリングを固定する際にフローリングとフローリングとの隙間をなくするためには、金槌等でフローリングの側面に衝撃を与え、その隙間が開かない様に作業者の手、又は足でフローリングを押さえながら釘を打って固定していた。
【考案の開示】
【考案が解決しようとする課題】
【０００３】  手又は足でフローリングを押さえながら釘を打つと、金槌で衝撃を与えた際に、フローリングがわずかに移動し、隙間が生じ、均等な密着度が得られず、固定作業が困難であった。従って、この問題を解決するために、手や足でフローリングを押さえる代わりに、本工具によってフローリングを押さえるものである。
【課題を解決するための手段】
【０００４】  本考案は、タル木に打ち付けられ固定された支持部本体と、フローリング押え部本体の間隔をこれらの間に設けられたアームの弧を描く運動によって開き、すでに固定されているフローリングに、これから密着させ固定させようとするフローリングの側面を押す作用を行い、手、又は足でフローリングを押さえる事なく、釘打ち作業を可能として、問題点を解決している。
【考案の効果】
【０００５】  上述のように、本考案のフローリングの固定作業における隙間防止工具は、手、又は足でフローリングを押さえて作業をする必要がないので、均等な密着度で、早く、容易にフローリングの固定作業が行える。
【考案を実施するための最良の形態】
【０００６】  支持部本体の打ち込み部を金槌で殴打し、フローリングの基礎材となるタル木に、支持部本体を固定する。そして押え部本体の殴打部の側面を金槌で殴打し、支持部本体と押え部本体との間をアームの弧を描く運動によって開き、これから取り付けようとする新設のフローリングの側面を既設フローリング側に押し込み、既設のフローリングとの隙間を密着させ、新設のフローリングを釘で固定する。
【実施例】
【０００７】  以下、図面に従って説明する。１は支持部本体で打ち込み部２を金槌で殴打して、タル木に固定される部分である。この支持部には２本のアーム４が押え部本体５と４本のピン３によって接続され、このアーム４の弧を描く運動によって支持部本体１と、押え部本体５の間を開くようになっている。【０００８】  この工具を使用する際は、図６で示す様に、既設のフローリング１２に合わせる様に新設のフローリング１１をタル木１０の上に置く。又、その新設のフローリング１１の凸部１３の下部に押え部本体５の突出部７をはめ込み、押え部本体５と支持部本体１の隙間を閉じた状態で、本工具をタル木１０の上に置く。【０００９】  次に、支持部本体１の左右２ヶ所の打ち込み部２の上部を金槌で殴打し、タル木１０に支持部本体１を図７で表す様に固定し、殴打部６をＡ１で示す方向に金槌で殴打することによって、押え部本体５をＡ１で表す方向に横移動させる。【００１０】  この移動により、ピン３を中心に弧を描く様にアーム４が運動し支持部本体１と押え部本体５の間隔を開く。これにより押え部本体５の突出部７は新設のフローリング１１の凸部１３の下側に当たっており、既設のフローリング１２側に強く押し付け、新設のフローリング１１と既設のフローリング１２との隙間を密着せしめる。【００１１】  この際、押え部５は、突出７と新設フローリング１の凸部１３との摩擦抵抗によって、Ａ１で示す方向の逆方向には、戻る事はない。この状態で図８で示す様に釘を打つ場所１６の２箇所に図９で示す様に、釘１５を打ち固定する。【００１２】  新設フローリング１２の固定が終わると、図７で示すＡ１の方向とは逆方向に金槌で衝撃を与えると押え部本体５と新設フローリング１１とが隔離され、さらに金槌で支持部本体１に金槌で横方面の衝撃を与え本工具を取り外す。
この様にして、順次フローリングの設置作業を行う。
【図面の簡単な説明】
【００１３】
【図１】  本考案のフローリングの固定作業における隙間防止工具の半開き状態の斜視図である。
【図２】  本工具の側面断面図である。
【図３】  本工具が完全に開いた状態の上面図である。
【図４】  図３の上面部分断面図である。
【図５】  本工具が閉じた状態の上面図である。
【図６】  既設のフローリングに新設のフローリングを本工具を使用して設置しようとしているところの図である。
【図７】  本工具をタル木の上に乗せ、打ち込み部を殴打し、設置した上面図である。
【図８】  殴打部を金槌で横方面に衝撃を与え、本工具の押え部によって新設のフローリングと、既設のフローリングとを密着させた図である。
【図９】  既設のフローリングと新設のフローリングを釘で固定した側面断面図である。
【符号の説明】
【００１４】  １    支持部本体
２    打ち込み部
３    ピン
４    アーム
５    押え部本体
６    殴打部
７    突出部
８    アーム収納室
１０  タル木
１１  新設のフローリング
１２  既設のフローリング
１３  凸部
１４  凹部
１５  釘
１６  釘を打つ場所
【図１】
0003110370.tif 000003
【図２】
0003110370.tif 000004
【図３】
0003110370.tif 000005
【図４】
0003110370.tif 000006
【図５】
0003110370.tif 000007
【図６】
0003110370.tif 000008
【図７】
0003110370.tif 000009
【図８】
0003110370.tif 000010
【図９】
0003110370.tif 000011
(57)【要約】      （修正有）【課題】廃棄時の分別作業を必要とせず、かつ封入が楽な使い勝手の良い、軽量の紙製緩衝封筒を提供する。【解決手段】ベロ２を有する紙製封筒１の内面に、波形の凸部間に１直線上になる罫線５を等間隔に施し、かつ凸部を内向きに半折用罫線１０にて半折した波形の紙製緩衝シート４を両端部分９において凸部を押し潰し、封筒開口縁７、８と接着させる事により、廃棄時の分別作業を必要とせず、かつ封入が楽な使い勝手の良い紙製緩衝封筒が提供できる。【選択図】図１
0003110361.tif 000002
【実用新案登録請求の範囲】
【請求項１】
ベロ２を有する紙製封筒１の内面に、波形の紙製緩衝シート４を、凸部を内向きに半折用罫線１０にて半折してその両端９を封筒開口縁（７、８）と接着させた事を特徴とする紙製緩衝封筒。
【請求項２】
緩衝材である波形の紙製緩衝シート４の両端９の凸部分を押し潰し、しかも波形の凸部間に一直線上になる罫線５を等間隔に施した請求項１の紙製緩衝封筒。
【考案の詳細な説明】
【考案の詳細な説明】
【技術分野】
【０００１】本考案は、紙製封筒の内部に緩衝材を有する緩衝封筒において、使用後の廃棄に当り、リサイクルを企てる場合はもちろんの事、焼却処理をする場合も、分別作業を必要としない、波形の紙製緩衝シートを有する緩衝封筒に関する。ここで、「紙製緩衝シート」とは、ベース紙の一面に連続する紙製波型凹凸部を貼合せ、シート状体としたもの（以下「紙製緩衝シート」と略称）をいう。
【背景技術】
【０００２】緩衝封筒には、様々な構造のものが考案され実用化されている。例えば（１）緩衝材にプラスチック気泡シートを使用したものは、廃棄時に分別する事が要求される。しかも、実際の分別作業を行うのは末端ユーザーであって、それに対する製造者の責任を如何に問うかが大きな社会問題になっている。一方、（２）緩衝材に新聞古紙や段ボール古紙を使用したものは、その密度が高い為に重量が重くなり、梱包発送作業者の負担増を招くとともに郵便料金や発送運賃が割高になり、コスト面で問題がある。
【考案の開示】
【考案が解決しようとする課題】
【０００３】本考案の目的は、廃棄時の分別作業を必要とせず、かつ封入が楽な使い勝手のよい、軽量の紙製緩衝封筒を提供することである。
【課題を解決するための手段】
【０００４】上記の目的を達成する本考案の分別廃棄が不要な軽量の紙製緩衝封筒は、図１及び図２及び図３及び図４にその構造を示すように、ベロ２を有する紙製封筒１の内面に、波形の凸部間に一直線上になる罫線５を等間隔に施し、かつ凸部を内向きに半折用罫線１０にて半折した波形の紙製緩衝シート４の両端を部分９のように凸部を押し潰し、封筒開口縁（７、８）と接着させてあることを特徴とする。
【考案の効果】
【０００５】本考案により次のような効果が生まれる。
（１）紙製緩衝シートと紙製封筒のみで構成されている為、廃棄時の分別が不要であり、しかも軽量化が計れた。
（２）封筒開口縁（７、８）と波形の紙製緩衝シート４の両端が接着されているので、紙製緩衝シート縁に封入物が引っかかりにくく、梱包、封入作業が楽で使い勝手が良い。
（３）紙製緩衝シート４の両端を部分９のように凸部を押し潰したので、紙製緩衝シート縁に封入物がひっかかりにくく、梱包、封入作業が楽で使い勝手がよい。
（４）紙製緩衝シート４の波形の凸部間に一直線上になる罫線５を等間隔に施したので、封筒内面に柔軟性が生まれ、封入物にフィットしやすい。
【考案を実施するための最良の形態】
【０００６】上記の目的を達成する本考案の分別廃棄が不要な軽量の紙製緩衝封筒は、図１及び図２及び図３及び図４にその構造を示すように、ベロ２を有する紙製封筒１の内面に、波形の凸部間に一直線上になる罫線５を等間隔に施し、かつ凸部を内向きに半折用罫線１０にて半折した波形の紙製緩衝シート４の両端を部分９のように凸部を押し潰し、封筒開口縁（７、８）と接着させる。又製造効率を高める為に、図４に示すように、紙製緩衝シート４の展開状態で、半折用罫線１０及び、波形の凸部間に一直線上になる罫線５及び、部分９の凸部の押し潰し及び、接着剤塗布のすべてを同時加工すれば良い。又、封緘作業を簡便にする為には、ベロ２に両面テープ又は粘着剤３を貼付した封筒を使用すれば、なお好ましい。更に、紙製封筒を再生古紙７０％以上及び紙製緩衝シートを再生古紙１００％の原紙を使用することで、省資源等、環境保護に寄与し、社会貢献ができる。
【図面の簡単な説明】
【図１】本考案の斜視図である。
【図２】封筒側面の断面図である。
【図３】封筒底面の断面図である。
【図４】紙製緩衝シートの展開斜視図である。
【符号の説明】
１    紙製封筒
２    紙製封筒のベロ部
３    両面テープ
４    紙製緩衝シート
５    罫線
６    接着剤
７    封筒表面開口縁
８    封筒裏面開口縁
９    頂部押し潰し部分
１０  半折用罫線
【図１】
0003110361.tif 000003
【図２】
0003110361.tif 000004
【図３】
0003110361.tif 000005
【図４】
0003110361.tif 000006
(57)【要約】【課題】ポリ製の霧吹き器具１を１８０度下向きにしても水や霧吹きができるようにする。【解決手段】ポリ製の霧吹き器具１の中え横に仕切板２をとりつけてその仕切板２に開閉口３をあけ鉄の開閉用の玉４で開閉することによって１８０度の下向きにしても水や霧がでるようにした。また仕切板２をとりつけたことで吸こみパイプ４の入口が固定するので吸こみパイプ５をジャバラにすると水のつめかえが容易になる。【選択図】図２
0003110332.tif 000002
【実用新案登録請求の範囲】
【請求項１】
ポリ製の霧吹き器具１にポリ製の仕切板２を取りつけて開閉口３をあけて鉄製の開閉用の玉４で、水を出し入れし１８０度の下向にしても霧吹きができる器具
【請求項２】
吸こみパイプ５をジヤバラにしてパイプ５を少し長くして水のつめかえを容易にしたパイプ５。
【考案の詳細な説明】
【考案の開示】
【考案が解決しようとする課題】
【０００１】いままて広くこの種の霧吹き器具が使われていたが０度から９０度位までで１８０度まで逆さにすると霧吹きさせることはできないという、問題点を有していた。
【課題を解決するための手段】
【０００２】上記目的を達成するためにポリ製の霧吹き器具に開閉用の穴を開けたポリ製の仕切板を取りつけ開閉用に鉄製の玉を利用して器具の本体を１８０度の下向にしたときに鉄製の玉が開閉口を綴じることにより器具本体の仕切の下に水がのこるのでその水を利用して１８０度の下向きでも霧吹ができることにした。
【考案の効果】
【０００３】ポリ製の霧吹き器具を０度から下向き１８０度まで霧吹くことができるのであらゆる角度の使用ができる。
【図面の簡単な説明】
【０００４】
【図１】ポリ製の霧吹き器具の断面図である。
【図２】ポリ製の霧吹き器具を１８０度下向にしたとき鉄製の開閉用の玉が開閉口を塞いだ断面図である。
【図３】ポリ製の霧吹器具の中の仕切板を下から見た断面図である。
【符号の説明】
【０００５】１  ポリ製の霧吹き器具
２  ポリ製の仕切板
３  開閉口
４  鉄製の玉
５  ポリ製の吸こみパイプ。
【図１】
0003110332.tif 000003
【図２】
0003110332.tif 000004
【図３】
0003110332.tif 000005
【手続補正書】
【提出日】平成17年2月14日(2005.2.14)
【手続補正１】
【補正対象書類名】実用新案登録請求の範囲
【補正対象項目名】全文
【補正方法】変更
【補正の内容】
【実用新案登録請求の範囲】
【請求項１】
ポリ製の霧吹き器具１にポリ製の仕切板２を取りつけて、開閉口３をあけて鉄の開閉用の玉４で、水の出し入れし１８０度の下向にしても霧吹きができる器具。
【請求項２】
吸こみパイプ５をジャバラにして、パイプ５を少し長くして水のつめかえを容易にしたパイプ５。を有する請求項１記載の器具。
(57)【要約】      （修正有）【課題】レインキャップの本体前中心部、剥ぎ縫い目上に刺繍でマーク及びロゴ等を入れ、且つ雨天用のキャップとしての機能を損なわないレインキャップを提供する。【解決手段】レインキャップの本体前中心部に、刺繍でロゴ及びマークが入れ、且つその刺繍裏にも漏水防止フィルムを施した。【選択図】図３
0003110331.tif 000002
【実用新案登録請求の範囲】
【請求項１】
レイン用素材を使用したキャップ本体の剥ぎ縫い目部に、ロゴ及びマーク等を直接刺繍で入れ且つ、刺繍部裏にも漏水防止フィルムを熱接着したことを特徴とするレインキャップ。
【請求項２】
刺繍裏部に漏水防止フィルムを接着するための熱接着機械を、キャップ本体の曲面に合わせた熱版とその受け台。
【考案の詳細な説明】
【技術分野】
【０００１】本考案は、６枚で構成されるキャップ本体の前中心の縫い目の上に、マーク及びロゴ等を直接刺繍で入れ、且つ雨天においてもその機能を損なわないレインキャップに関するものである。
【背景技術】
【０００２】一般的なレインキャップの製造上、水の侵入を防ぐため縫い目の裏に漏水防止テープを貼ることを前提としている。またこれらのレインキャップも一般のキャップ同様、キャップ本体の前中心部になんらかのマークを入れたものがほとんどである。しかしそのマークを入れる手法は刺繍で入れると針で穴が開きそれを防ぐ方法が無かった為、転写プリントで入れるのが従来の方法で、この転写プリントを本体前中心部に入れるためにはキャップの形状に制約があった。
【考案の開示】
レインキャップ
【考案が解決しようとする課題】
【０００３】６枚のパーツで構成されるキャップの形状を損なわず、本体の前中心部に転写プリントを入れようとした場合、縫い目があり叉この縫い目はキャップの形状を構成する為に曲線である。現状のマークのプレス機の台は平面である為この箇所へのマークの転写加工は不可能である。仮に転写加工をしたとしても縫い目でマークに線が入り商品として不完成なものとなる。その為転写プリントを入れる為の平面的なパーツを本体前部に入れた形状が、現状のレインキャップでは主であるが、デザイン的な制約があり本考案はこの問題を解決したものである。
【課題を解決する為の手段】
【０００４】本考案は、一般的な６枚矧ぎのレインキャップに剥ぎ縫製部の裏に漏水防止テープを施し、且つ本体前中心部の縫い目上にマーク及びロゴ等を直接刺繍で入れその刺繍部の裏にも漏水防止フィルムを施したものである。
【０００５】その為、本考案では通常の熱接着機械の接着部が平面であるのを、接着部分をキャップの曲面に合わせた熱版と受け台を考案した。
【考案の効果】
【０００６】本考案の手法でレインキャップを作成すると、次のような効果がある。現状の６枚剥ぎのキャップの形状を変えること無く、且つ雨天用のキャップとしての機能を損なうこと無く、マーク及びロゴ等を直接本体の前中心部に、刺繍で入れることが出来る。
【考案を実施する為の最良の形態】
【０００７】以下、本考案の実施例を図面に基づいて説明する。図１は現状のレインキャップに転写プリントでマーク及びロゴを入れたものの全体図。図２はそのマーク及びロゴを入れる為のパーツを表したもの。図３は本考案の全体図。図４は本考案を実施する為の熱接着機械の全体図。
【実施例】
【０００８】図１は、レインキャップの前中心部に、マーク及びロゴを転写プリントで入れる場合、このような形状にならざるを得ない。【０００９】図２は、転写プリント加工をする為にそのパーツは、平面である必要があることを表す。【００１０】図３は、本考案の全体図で一般的な６剥ぎキャップの形状を損なわず、本体前中心部剥ぎの縫い目上に刺繍で、ロゴ及びマークを入れたもの。【００１１】図４は、本考案が刺繍裏部にも漏水防止フィルムを施す為の熱接着機械の全体図で、熱版部と受け台部がキャップの曲面に合わせた形状を表す。
【図面の簡単な説明】
【００１２】
【図１】現状のレインキャップの形状
【図２】現状のレインキャップの形状に制約が出る要因を示した図
【図３】本考案を斜め前方から見た図
【図４】本考案を実施する為の熱接着機械の図
【符号説明】
【００１３】１  プリントマーク及びロゴ
２  プリントマーク及びロゴ
３  刺繍マーク及びロゴ
４  熱版
５  受け台
【図１】
0003110331.tif 000003
【図２】
0003110331.tif 000004
【図３】
0003110331.tif 000005
【図４】
0003110331.tif 000006
【手続補正書】
【提出日】平成17年2月10日(2005.2.10)
【手続補正１】
【補正対象書類名】実用新案登録請求の範囲
【補正対象項目名】全文
【補正方法】変更
【補正の内容】
【実用新案登録請求の範囲】
【請求項１】
レイン用素材を使用したキャップ本体の剥ぎ縫い目部に、ロゴ及びマーク等を直接刺繍で入れ且つ、刺繍部裏にも漏水防止フィルムを熱接着したことを特徴とするレインキャップ。
【請求項２】
ロゴ及びマーク等の刺繍裏部に漏水防止フィルムを接着するための熱接着機械で、前記請求項１記載のレインキャップ本体の曲面に合わせた熱版とその受け台を有する熱接着機械。